(57)【要約】【課題】破断手段の破断始点部の突出量を確保する一方、破断始点部の形成に伴う抜穴部からの塵埃の侵入を抑制する。【解決手段】少なくとも第１壁面１１Ｂに第２壁面１２Ａから離反する方向に延びる破断手段（樹脂テープ２０）を形成し、この破断手段２０の破断始点部３０を形成するための紙製品の罫線構造であって、第１および第２壁面１１Ｂ，１２Ａの境界部分に、破断手段２０の形成領域を除くように折曲線１４Ａを設け、折曲線１４Ａの分離した各端部をそれぞれ通過するように第２壁面１２Ａから第１壁面１１Ｂにかけて破断手段２０に沿って延びる一対の第１切断線２２を設けるとともに、第１壁面１１Ｂ内に位置する各第１切断線２２の端部を連続し一部が第１壁面１１Ｂから折曲線１４Ａの延長線を越えて第２壁面１２Ａにかけて延びる第２切断線２５を設ける。【選択図】図１
2011001104.tif 000002
【特許請求の範囲】
【請求項１】
所定角度で折り曲げられる第１および第２壁面を有し、少なくとも第１壁面に第２壁面から離反する方向に延びる破断手段を形成し、この破断手段の破断始点部を形成するための紙製品の罫線構造であって、
前記第１および第２壁面の境界部分に、前記破断手段の形成領域を除くように折曲線を設け、
前記折曲線の分離した各端部をそれぞれ通過するように前記第２壁面から前記第１壁面にかけて前記破断手段に沿って延びる一対の第１切断線を設けるとともに、前記第１壁面内に位置する各第１切断線の端部を連続し一部が第１壁面から前記折曲線の延長線を越えて前記第２壁面にかけて延びる第２切断線を設けた
ことを特徴とする紙製品の罫線構造。
【請求項２】
所定角度で折り曲げられる第１および第２壁面を有し、少なくとも第１壁面に第２壁面から離反する方向に延びる破断手段を形成した紙製品であって、
前記第１および第２壁面の境界部分に、前記破断手段の形成領域を除くように折曲線を設け、
前記折曲線の分離した各端部をそれぞれ通過するように前記第２壁面から前記第１壁面にかけて前記破断手段に沿って延びる一対の第１切断線を設けるとともに、前記第１壁面内に位置する各第１切断線の端部を連続し一部が第１壁面から前記折曲線の延長線を越えて前記第２壁面にかけて延びる第２切断線を設け、
組立状態で前記折曲線に沿って第１および第２壁面を折り曲げることにより、前記第１壁面に形成した破断手段と連続し、前記第２壁面から立ち上がって突出する破断始点部を形成したことを特徴とする紙製品。
【発明の詳細な説明】
【技術分野】
【０００１】
本発明は、所定の商品を収容する包装箱などの紙製品の罫線構造および該罫線構造を用いた紙製品に関するものである。
【背景技術】
【０００２】
紙製品である包装箱は、所定位置に周方向に延びる破断手段が設けられ、この破断手段で各壁面を破断することにより、上下に分割可能としたものがある。また、一部に蓋部を形成した包装箱では、連続部となる壁面を除く壁面に破断手段が設けられ、破断手段で各壁面を破断することにより、連続部の壁面に形成した折曲線をヒンジ部として蓋部を開閉可能に構成している。
【０００３】
この種の紙製品において、破断手段の破断始点となる部分を摘む作業は非常に面倒である。そのため、特許文献１では、この破断始点部が包装箱のコーナー部分から突出するように構成している。具体的には、この特許文献１の包装箱は、四方を囲繞する外周壁に、複数の切断部と非切断部とを交互に設けた一対のミシン目状破断線からなる破断手段が設けられている。そして、外周壁の各壁面を区画する折曲線のうち１つを、破断手段を形成した領域を除く部分だけに設けるとともに、その両端から略倒Ｕ字形状をなすように切断線を設け、組立状態で切断線内部がコーナー部分から立ち上がって突出するように構成している。
【０００４】
しかしながら、この特許文献１の包装箱は、破断手段の破断始点部を形成することに伴って、組立状態では第２壁面に１個の大きな抜穴部が形成される。この抜穴部の開口面積は、破断手段に沿って延びる切断線の寸法を小さくすれば小さくすることができるが、この場合には破断始点部の突出量も小さくなるため、破断作業性を損ねるという問題がある。逆に、破断作業性を向上するために破断始点部の突出量が大きくなるようにした場合には、抜穴部の開口面積が大きくなり、塵埃を避ける必要がある商品には適用できない。
【先行技術文献】
【特許文献】
【０００５】
【特許文献１】特開平６−３２９１５２号公報
【発明の概要】
【発明が解決しようとする課題】
【０００６】
本発明は、破断手段の破断始点部の突出量を確保する一方、破断始点部の形成に伴う抜穴部からの塵埃の侵入を抑制可能な紙製品の罫線構造および該罫線構造を用いた紙製品を提供することを課題とするものである。
【課題を解決するための手段】
【０００７】
前記課題を解決するため、本発明の紙製品の罫線構造は、所定角度で折り曲げられる第１および第２壁面を有し、少なくとも第１壁面に第２壁面から離反する方向に延びる破断手段を形成し、この破断手段の破断始点部を形成するための紙製品の罫線構造であって、前記第１および第２壁面の境界部分に、前記破断手段の形成領域を除くように折曲線を設け、前記折曲線の分離した各端部をそれぞれ通過するように前記第２壁面から前記第１壁面にかけて前記破断手段に沿って延びる一対の第１切断線を設けるとともに、前記第１壁面内に位置する各第１切断線の端部を連続し一部が第１壁面から前記折曲線の延長線を越えて前記第２壁面にかけて延びる第２切断線を設けたものである。
【０００８】
そして、この罫線構造を用いた紙製品は、前記第１および第２壁面の境界部分に、前記破断手段の形成領域を除くように折曲線を設け、前記折曲線の分離した各端部をそれぞれ通過するように前記第２壁面から前記第１壁面にかけて前記破断手段に沿って延びる一対の第１切断線を設けるとともに、前記第１壁面内に位置する各第１切断線の端部を連続し一部が第１壁面から前記折曲線の延長線を越えて前記第２壁面にかけて延びる第２切断線を設け、組立状態で前記折曲線に沿って第１および第２壁面を折り曲げることにより、前記第１壁面に形成した破断手段と連続し、前記第２壁面から立ち上がって突出する破断始点部を形成したものである。
【発明の効果】
【０００９】
本発明の罫線構造を用いた紙製品は、組立状態で破断手段の端部となる破断始点部が第２壁面から立ち上がって突出した状態をなすため、その破断始点部の摘むのが容易である。そのため、破断作業性を向上できる。また、この破断始点部を形成するための罫線構造は、第２壁面から第１壁面にかけて延びる第１切断線と、これらの端部を連続する第２切断線とを有し、第２切断線の一部が第１壁面から第２壁面にかけて延びるように形成しているため、該破断始点部を形成することに伴って形成される抜穴部が、第２壁面と第１壁面とに分割される。そして、各壁面に形成される抜穴部は開口面積が小さくなるため、塵埃の侵入を抑制できる。その結果、本発明の罫線構造を適用する紙製品が包装箱である場合、内部に収容する商品が塵埃を避ける必要があるものに好適に適用できる。
【図面の簡単な説明】
【００１０】
【図１】第１実施形態の罫線構造を用いた包装箱を示す斜視図である。
【図２】（Ａ），（Ｂ）は破断工程を示す斜視図である。
【図３】図１の包装箱のブランクを示す平面図である。
【図４】第２実施形態の罫線構造を用いた包装箱を示す斜視図である。
【図５】図４の包装箱のブランクを示す平面図である。
【図６】第３実施形態の罫線構造を用いた包装箱を示す斜視図である。
【図７】図６の包装箱のブランクを示す平面図である。
【図８】本発明の罫線構造を適用する包装箱の変形例を示す斜視図である。
【図９】図８の包装箱のブランクを示す平面図である。
【図１０】本発明の罫線構造を適用する包装箱の他の変形例を示す斜視図である。
【図１１】図１０の包装箱のブランクを示す平面図である。
【発明を実施するための形態】
【００１１】
以下、本発明の実施の形態を図面に従って説明する。
【００１２】
図１から図３は、本発明に係る第１実施形態の罫線構造を用いた紙製品である包装箱１０を示す。この包装箱１０は、四方を囲繞する壁面１１Ａ，１１Ｂ，１２Ａ，１２Ｂを備え、これら壁面１１Ａ，１１Ｂ，１２Ａ，１２Ｂを破断手段である樹脂テープ２０により破断し、上下に分離可能としたものである。そして、この樹脂テープ２０で破断を開始するための破断始点部３０を、第１壁面である側壁１１Ｂと端壁１２Ａのコーナー部分に形成する構成としたものである。
【００１３】
第１実施形態の罫線構造を適用した包装箱１０は、表紙および裏紙の間に波状の中しんを配設した段ボール紙を、周知の紙器打抜装置（図示せず）によって図３に示す連続した一枚のブランクとして打ち抜き、所定部位を糊付けにより貼着して成形される。
【００１４】
この包装箱１０のブランクは、図３に示すように、横方向に連続する４面の壁面１１Ａ，１１Ｂ，１２Ａ，１２Ｂを備えている。具体的には、左端から右端にかけて、側壁１１Ａ、端壁１２Ａ、側壁１１Ｂおよび端壁１２Ｂの順番で連設されている。これらのうち、左側端部に位置する側壁１１Ａの側縁には、右側端部に位置する端壁１２Ｂに貼着するための糊代部１３が連設されている。そして、これら側壁１１Ａ，１１Ｂ、端壁１２Ａ，１２Ｂおよび糊代部１３の各境界部分には、肉厚を圧縮するように罫を入れて形成した第１折曲線１４が設けられている。そのうち、第１壁面である側壁１１Ｂと第２壁面である端壁１２Ａとの境界部分に形成する第１折曲線１４Ａは、後述する樹脂シートの貼着（形成）領域を除く位置だけに設けられている。即ち、第１折曲線１４Ａは、樹脂テープ２０の貼着領域から上向きに延びる第１折曲部１４ａと、樹脂テープ２０の貼着領域から下向きに延びる第２折曲部１４ｂとで構成され、これら折曲部１４ａ，１４ｂの対向する端部は、所定間隔をもって位置されている。
【００１５】
前記側壁１１Ａ，１１Ｂには、それぞれの上端縁に上側外フラップ１５Ａ，１５Ｂが連設され、それぞれの下端縁に下側外フラップ１６Ａ，１６Ｂが連設されている。また、端壁１２Ａ，１２Ｂには、それぞれの上端縁に上側内フラップ１７Ａ，１７Ｂが連設され、それぞれの下端縁に下側内フラップ１８Ａ，１８Ｂが連設されている。そして、これら各フラップ１５Ａ，１５Ｂ〜１８Ａ，１８Ｂと、連続した各壁面１１Ａ，１１Ｂ，１２Ａ，１２Ｂとの各境界部分には、前記と同様の第２折曲線１９が設けられている。
【００１６】
本実施形態では、組立（封緘）状態の包装箱１０を上箱部と下箱部とに分離するための破断手段として樹脂テープ２０が配設されている。この樹脂テープ２０はＰＰ（ポリプロピレン）製であり、各壁面１１Ａ，１１Ｂ，１２Ａ，１２Ｂおよび糊代部１３において、組立状態で内側に位置する段ボール紙の裏面に貼着されている。なお、樹脂テープ２０は、分離する上箱部の容積（高さ）を大きくする一方、下箱部の容積を小さくすることにより、分離後に下箱部内に収容した商品を大きく露出できるように、下側部分の偏った位置に貼着されている。なお、この樹脂テープ２０は、段ボール紙を紙器打抜装置で打ち抜く前の状態で貼着され、ブランクの打ち抜きと同時に切断される。
【００１７】
そして、側壁１１Ｂと端壁１２Ａとの境界部分の折曲部１４ａ，１４ｂの端部間には、樹脂テープ２０を分断するとともに破断始点部３０を形成するための破断端部２１が設けられている。この破断端部２１は、樹脂テープ２０に沿って両側に延びるように設けた一対の第１切断線２２，２２と、これら第１切断線２２，２２の端部間を連続するように設けた第２切断線２５とを備えている。
【００１８】
前記第１切断線２２は、分離した第１折曲線１４Ａの端部をそれぞれ通過するように、端壁１２Ａから側壁１１Ｂ内にかけて延びるものである。本実施形態では、樹脂テープ２０に対して所定間隔をもって平行に延びるように端壁１２Ａに形成した第１切断部２３と、樹脂テープ２０に対して近づくように側壁１１Ｂに湾曲形成した第２切断部２４とで構成されている。これら切断部２３，２４は、第１折曲線１４Ａの端部と交差する。即ち、第１折曲線１４Ａは、樹脂テープ２０に対して所定間隔をもって離れた位置まで延びるように設けられている。そして、切断部２３，２４は、第１折曲線１４Ａを境界としてそれぞれ両側に延びるように設けられている。
【００１９】
前記第２切断線２５は、側壁１１Ｂ内に位置する各第１切断線２２，２２の端部（第２切断部２４の端部）から折曲部１４ａ，１４ｂの延長線を越えて端壁１２Ａにかけて延びるものである。ここで、この延長線とは、第１折曲線１４Ａにおいて、各折曲部１４ａ，１４ｂの端部間の仮想線を意味する。本実施形態では、第１切断線２２の端部に連続する一対の第１切断部２６，２６と、これら第１切断部２６，２６に連続する一対の第２切断部２７，２７と、これら第２切断部２７を連続する第３切断部２８とで構成されている。第１切断部２６は、第１切断線２２の端部から互いに近接するように端壁１２Ａに向けて延びるように設けられている。また、第１切断部２６は、その端部が折曲部１４ａ，１４ｂ間を越えて端壁１２Ａ内に位置するとともに、樹脂テープ２０より外側に位置するように設けられている。第２切断部２７は、第１切断部２６に対して接円弧状をなすように湾曲して設けられている。また、この第２切断部２７の端部は、樹脂テープ２０の端縁を越え、該樹脂テープ２０上に位置するように設けられている。第３切断部２８は、樹脂テープ２０を分断するもので、一対の第２切断部２７，２７に対して接線方向に延びるように設けられている。なお、第２切断部２７は、破断始点部３０の角部を面取りするためのもので、設けない構成としてもよい。
【００２０】
この破断端部２１は、第１折曲線１４Ａに沿って側壁１１Ｂおよび端壁１２Ａを折り曲げた組立状態とすると、図３に薄墨を付して示した領域が抜穴部２９Ａ，２９Ｂとなる。具体的には、第１折曲線１４Ａの延長線と、第２切断線２５とで囲まれた領域が、端壁１２Ａに形成される抜穴部２９Ａとなる。また、第１折曲線１４Ａの延長線と、第１切断線２２の第２切断部２４と、第２切断線２５の第１切断部２６とで囲まれた領域が、側壁１１Ｂに形成される一対の抜穴部２９Ｂとなる。そして、図１に示すように、抜穴部２９Ａ内に位置する部分は、側壁１１Ｂの樹脂テープ２０からなる破断手段に連続し、端壁１２Ａから立ち上がって突出する破断始点部３０を構成する。また、抜穴部２９Ｂ内に位置する部分は、端壁１２Ａに連続し、側壁１１Ｂから立ち上がって突出する一対の突出部３１，３１を構成する。
【００２１】
また、本実施形態では、破断端部２１に対して端壁１２Ａから離反する側に、一対の破断ガイド線３２が設けられている。この破断ガイド線３２は、破断始点部３０を摘んで樹脂テープ２０で側壁１１Ｂの破断を開始した際に、段ボール紙の表紙が意図しない方向に破断されることを防止するためのものである。この破断ガイド線３２は、第１切断線２２の第１切断部２３の略延長線上に位置する第１切断部３３と、第１切断部３３の破断端部２１の側に位置する端部から破断端部２１かつ樹脂テープ２０に向けて傾斜して延びる第２切断部３４とからなる。そして、この第２切断部３４の端部は、第１切断線２２の第２切断部２４の端部より、樹脂テープ２０の側に位置するように設けられている。
【００２２】
このように構成した包装箱１０のブランクは、糊代部１３の表紙側に酢酸ビニルエマルジョン系の接着剤などを塗布した状態で、端壁１２Ａに対して側壁１１Ａを折り曲げるとともに、側壁１１Ｂに対して端壁１２Ｂを折り曲げる。そして、重畳した端壁１２Ｂの端部と糊代部１３とをプレスすることにより接着し、この状態で所定の商品の製造メーカに出荷される。
【００２３】
また、製造メーカでは、各壁面１１Ａ，１１Ｂ，１２Ａ，１２Ｂが平面視矩形状をなすように広げる。これにより、各壁面１１Ａ，１１Ｂ，１２Ａ，１２Ｂがそれぞれ９０度の屈曲角度で折り曲げられる。その結果、破断端部２１は、前述のように、破断始点部３０が端壁１２Ａから立ち上がり、側壁１１Ｂと連続した状態で端壁１２Ａから突出する。また、突出部３１が側壁１１Ｂから立ち上がり、端壁１２Ａと連続した状態で側壁１１Ｂから突出する。
【００２４】
ついで、端壁１２Ａ，１２Ｂに対して下側内フラップ１８Ａ，１８Ｂを折り曲げた後、側壁１１Ａ，１１Ｂに対して下側外フラップ１６Ａ，１６Ｂを折り曲げる。そして、例えば、下側外フラップ１６Ａ，１６Ｂの互いに突き合った先端縁を粘着テープで貼着することにより固定する。この状態で、開放した上側から所定の商品を収容する。その後、端壁１２Ａ，１２Ｂに対して上側内フラップ１７Ａ，１７Ｂを折り曲げた後、側壁１１Ａ，１１Ｂに対して上側外フラップ１５Ａ，１５Ｂを折り曲げる。そして、下側のフラップ１６Ａ，１６Ｂ，１８Ａ，１８Ｂと同様にして上側のフラップ１５Ａ，１５Ｂ，１７Ａ，１７Ｂを固定することにより封緘する。
【００２５】
この封緘状態では、本実施形態の包装箱１０に破断始点部３０を形成しているため、従来と同様に、端壁１２Ａには抜穴部２９Ａが形成される。しかし、本実施形態の破断始点部３０を形成するための罫線構造は、端壁１２Ａから側壁１１Ｂにかけて延びる第１切断線２２と、これらの端部を連続する第２切断線２５とを有し、第２切断線２５の一部（第３切断部２８）が側壁１１Ｂから端壁１２Ａにかけて延びるように形成したものである。そのため、図１に示すように、抜穴部２９Ａの上下には突出部３１，３１が位置するため、その開口面積は小さい。但し、本実施形態では端壁１２Ａに突出部３１，３１が形成されるため、側壁１１Ｂに小さな開口面積の抜穴部２９Ｂ，２９Ｂが形成される。即ち、本実施形態の包装箱１０は、破断始点部３０および突出部３１の立ち上がりにより、端壁１２Ａおよび側壁１１Ｂに抜穴部２９Ａ，２９Ｂがそれぞれ分割して形成される。これら抜穴部２９Ａ，２９Ｂは、その開口面積が小さい。しかも、段ボール紙の肉厚分、各抜穴部２９Ａ，２９Ｂが閉塞されるため、実際の開口面積は更に小さくなる。そのため、これら抜穴部２９Ａ，２９Ｂからの塵埃の侵入を抑制できる。その結果、内部に収容する商品が塵埃を避ける必要があるものでも好適に適用できる。
【００２６】
この包装箱１０に収容された商品を店頭に陳列して販売する場合、作業者は、樹脂テープ２０で側壁１１Ａ，１１Ｂおよび端壁１２Ａ，１２Ｂを切り裂くようにして破断し、上側のフラップ１５Ａ，１５Ｂ，１７Ａ，１７Ｂを含む上箱部を分離することにより、下箱部に収容した商品を露出させる。
【００２７】
具体的には、端壁１２Ａから立ち上がり、この端壁１２Ａの表面から突出する破断始点部３０の先端縁に指を当て、図２（Ａ）に示すように、該破断始点部３０を摘みながら端壁１２Ａから離反する方向に湾曲させる。これにより、図示のように第１切断線２２の端部まで変形させると、その破断始点部３０を強く指で摘み、端壁１２Ａから離反する方向に強く引っ張る。その結果、図２（Ｂ）に示すように、第１切断線２２の端部から破断ガイド線３２に向けて側壁１１Ｂが破断される。その後、側壁１１Ｂは樹脂テープ２０で切り裂かれるようにして破断される。このようにして側壁１１Ｂを横方向に全て破断すると、続いて端壁１２Ｂ、側壁１１Ａおよび端壁１２Ａを、同様に樹脂テープ２０を引っ張ることにより破断する。そして、端壁１２Ａを横方向に全て破断すると、破断始点部３０に戻ることにより、破断した所定幅の段ボール紙を含む樹脂テープ２０が分離される。
【００２８】
このように、本発明の罫線構造を用いた包装箱１０は、組立状態で樹脂テープ２０の端部となる破断始点部３０が端壁１２Ａから立ち上がって突出した状態をなすため、その破断始点部３０を摘む作業が容易である。そのため、破断作業性を向上できる。
【００２９】
また、包装箱１０を分離する際には、前述のように最初は破断始点部３０を摘んで破断作業を行い、略半分の位置、即ち側壁１１Ａと端壁１２Ｂまで破断が完了すると、逆側から破断を行うことが考えられる。これは、特に本実施形態の包装箱１０は、半分の位置に破断作業が困難になる糊代部１３が位置するため、極めて可能性が高い。
【００３０】
この場合、本実施形態の罫線構造では、第２の破断開始点となる端壁１２Ａの縁に、第１切断線２２の第１切断部２３が切れ込んだ状態をなすうえ、突出部３１が突出するとともに第２切断線２５により縁が窪んだ状態をなす。そのため、樹脂テープ２０を貼着している第２の端部を作業者が容易に摘むことができる。よって、破断作業性を更に向上できる。因みに、このような破断作業を行うには、壁面１１Ａ，１２Ａ，１１Ｂ，１２Ｂの対角位置や対称位置にそれぞれ破断端部２１を形成することが考えられる。しかし、このように複数の破断端部２１を形成すると、包装箱１０の剛性（圧縮強度等）の低下に繋がるが、本実施形態では、このような問題が生じることはない。
【００３１】
図４および図５は第２実施形態の罫線構造を適用した包装箱１０を示す。この包装箱１０の基本構成は第１実施形態と同様であり、破断端部２１の構成が相違する。また、第１実施形態に示す破断ガイド線３２は設けていない。第２実施形態の破断端部２１は、図５に示すように、第２壁面である端壁１２Ａから第１壁面である側壁１１Ｂにかけて延びる一対の第１切断線３５，３５と、各第１切断線３５，３５を連続するように設けた第２切断線３８とを備えている。
【００３２】
そして、第１切断線３５は、樹脂テープ２０に対して所定間隔をもって平行に延びるように端壁１２Ａに形成した第１切断部３６と、樹脂テープ２０に対して近づくように側壁１１Ｂに１／４円弧状に形成した第２切断部３７とで構成されている。また、第２切断線３８は、側壁１１Ｂ内に位置する各第１切断線３５，３５の第２切断部３７の端部から１／４円弧状に形成した第１切断部３９，３９と、これら第１切断部３９に対して接円状をなすように延びる半円状の第２切断部４０とで構成されている。
【００３３】
図６および図７は第３実施形態の罫線構造を適用した包装箱１０を示す。この包装箱１０は、第２実施形態と同様に、基本構成が第１実施形態と同様であり、破断端部２１の構成が相違する。また、第１実施形態に示す破断ガイド線３２は設けていない。第３実施形態の破断端部２１は、図７に示すように、全てを直線状の切断部で構成したもので、第２壁面である端壁１２Ａから第１壁面である側壁１１Ｂにかけて延びる一対の第１切断線４１，４１と、各第１切断線４１，４１を連続する第２切断線４２とを備えている。
【００３４】
そして、第１切断線４１は、樹脂テープ２０に対して所定間隔をもって平行に延びるように端壁１２Ａから側壁１１Ｂにかけて延びる直線状の切断部からなる。また、第２切断線４２は、側壁１１Ｂ内に位置する各第１切断線４１，４１の端部から端壁１２Ａ内に位置するように傾斜して延びる一対の切断部４２ａ，４２ａで構成されている。これら切断部４２ａ，４２ａは、樹脂テープ２０の幅方向の中心で交差し、Ｖ字形状をなすように形成されている。
【００３５】
このように構成した第２および第３実施形態の破断端部２１は、図４および図６に示すように、組み立てた封緘状態とすると、第１実施形態と同様に、側壁１１Ｂと連続するように端壁１２Ａから破断始点部３０を立ち上げて突出させ、端壁１２Ａと連続するように側壁１１Ｂから突出部３１を立ち上げて突出させることができる。そのため、第１実施形態と同様の作用および効果を得ることができる。
【００３６】
なお、本発明の紙製品の罫線構造は、前記実施形態の構成に限定されるものではなく、種々の変更が可能である。
【００３７】
例えば、前記各実施形態では、破断手段を樹脂テープ２０により構成したが、所定間隔をもって切断部と非切断部とを交互に設けた一対のミシン目状破断線からなる構成としてもよい。
【００３８】
また、各実施形態では、破断手段を各壁面１１Ａ，１１Ｂ，１２Ａ，１２Ｂおよび糊代部１３にかけて設けることにより、組立状態で四方を囲繞するように形成したが、第１壁面である側壁１１Ｂだけに形成する構成としてもよい。
【００３９】
さらに、第２および第３実施形態では、第１実施形態に示す破断ガイド線３２は設けない構成としたが、同様に破断ガイド線３２を設ける構成としてもよい。
【００４０】
勿論、本発明の罫線構造を適用可能な紙製品は、各実施形態に示す包装箱１０に限定されるものではない。
【００４１】
例えば、図８および図９に示すように、壁面の一部を分離して内部を露出可能とした包装箱１０にも適用可能である。具体的には、この第１変形例の包装箱１０は、各実施形態と同様に、横方向に交互に連続する側壁１１Ａ，１１Ｂおよび端壁１２Ａ，１２Ｂを備え、これらの上下にそれぞれフラップ１５Ａ，１５Ｂ〜１８Ａ，１８Ｂが連設されている。また、破断手段を構成する樹脂テープ２０が、一端に位置する糊代部１３から他端に位置する端壁１２Ｂにかけて延びるように設けられている。そして、側壁１１Ａ，１１Ｂ、端壁１２Ａ，１２Ｂおよび糊代部１３の各境界部分には第１折曲線１４が設けられ、側壁１１Ａ，１１Ｂと端壁１２Ａ，１２Ｂおよび各フラップ１５Ａ，１５Ｂ〜１８Ａ，１８Ｂの各境界部分には第２折曲線１９が設けられている。
【００４２】
そのうち、側壁１１Ｂと両側に位置する端壁１２Ａ，１２Ｂの各境界部分に位置する第１折曲線１４Ａ，１４Ｂは、樹脂テープ２０の貼着領域から上向きに延びる第１折曲部１４ａと、樹脂テープ２０の貼着領域から下向きに延びる第２折曲部１４ｂとで構成されている。また、第１折曲部１４ａは、境界線に沿って所定間隔をもって設けた第１切断部と、各切断部の下端から側壁１１Ｂ内下向きに傾斜して延びるように設けた第２切断部とからなる破断線により構成している。そして、この包装箱１０には、これら側壁１１Ｂと端壁１２Ａ，１２Ｂとの境界部分に、第１実施形態と同様の破断始点部３０を形成するための破断端部２１が設けられている。
【００４３】
このように構成した包装箱１０は、一方または両方の破断始点部３０を摘んで側壁１１Ｂを横方向に破断する。その後、その破断領域に手を差し込んで上向きに引き上げることにより、破断線からなる第１折曲部１４ａに沿って側壁１１Ｂを破断できる。そして、連続した上側外フラップ１５Ｂと一緒に側壁１１Ｂの上側部分を分離することにより、包装箱１０の一部を分離して、内部に収容した商品を露出させることができる。
【００４４】
また、包装箱１０は、第１壁面を側壁とし第２壁面を端壁とした矩形状の汎用形式のものに限られず、図１０および図１１に示すように、面取壁５６Ａ〜５６Ｄを設けたラップアラウンド形式のものにも適用可能である。
【００４５】
具体的には、第２変形例であるラップアラウンド形式の包装箱５０は、図１１に示すように、左端から右端にかけて、側壁５１Ａ、底壁５２、側壁５１Ｂおよび天壁５３が連設されている。側壁５１Ａの側縁には、天壁５３の側縁に貼着するための糊代部５４が設けられている。また、これらの各境界部分には、第１折曲線５５が設けられている。側壁５１Ａ，５１Ｂの上下端縁には、それぞれ面取壁５６Ａ〜５６Ｄが連結され、その境界部分に第２折曲線５７が設けられている。また、底壁５２および天壁５３は、その上下の両側部が面取壁５６Ａ〜５６Ｄと対応する傾斜縁とされている。側壁５１Ａに連設した面取壁５６Ａ，５６Ｂおよび側壁５１Ｂに連設した面取壁５６Ｃ，５６Ｄの各端縁には、端壁を構成する内フラップ５８Ａ〜５８Ｄが連設され、その境界部分に第３折曲線５９が設けられている。また、底壁５２および天壁５３の各端縁には、端壁を構成する外フラップ６０Ａ〜６０Ｄが連設され、その境界部分に第４折曲線６１が連設されている。
【００４６】
そして、この包装箱５０には、側壁５１Ａに対して内フラップ５８Ａ，５８Ｂ間にかけて延びるように、また、側壁５１Ｂに対して内フラップ５８Ｃ，５８Ｄ間にかけて延びるように、破断手段として樹脂テープ２０が配設されている。さらに、第１壁面である側壁５１Ａには、隣接する第２壁面である面取壁５６Ａ，５６Ｂとの境界部分に、また、他の第１壁面である側壁５１Ｂには、隣接する他の第２壁面である面取壁５６Ｃ，５６Ｄとの境界部分に、第１実施形態と同様の破断始点部を形成するための破断端部２１が設けられている。
【００４７】
このように構成した包装箱５０は、図１０に示すように、開口面積が大きい抜穴部２９Ａが面取壁５６Ａ〜５６Ｄに形成される。そして、この面取壁５６Ａ〜５６Ｄは、側壁５１Ａ，５１Ｂに対して１３５度の鈍角な屈曲角度で傾斜する。その結果、組立状態では抜穴部２９Ａが突出した破断始点部で一部が覆われる。その結果、塵埃の侵入を更に確実に抑制できる。
【００４８】
なお、これら第１および第２変形例の包装箱は、破断始点部３０を形成するための罫線構造を第１実施形態と同様の破断端部２１により構成したが、勿論、第２および第３実施形態の破断端部２１により構成してもよい。
【００４９】
さらに、本発明の罫線構造は、フラップにより封緘する包装箱１０，５０だけでなく、上部に開閉可能な蓋部を形成した包装箱でも同様に適用可能である。この場合、連続部分となる壁面を除く壁面に破断手段を設け、その破断手段の両端間にヒンジ部を構成する折曲線を形成する。勿論、本発明の罫線構造は、包装箱だけに限られず、破断手段により所定位置を破断する構造を採用する種々の紙製品に適用可能である。
【符号の説明】
【００５０】
１０…包装箱（紙製品）
１１Ａ…側壁
１１Ｂ…側壁（第１壁面）
１２Ａ…端壁（第２壁面）
１２Ｂ…端壁
１３…糊代部
１４，１４Ａ，１４Ｂ…第１折曲線
１４ａ，１４ｂ…折曲部
２０…樹脂テープ（破断手段）
２１…破断端部
２２，３５，４１…第１切断線
２５，３８，４２…第２切断線
２９Ａ，２９Ｂ…抜穴部
３０…破断始点部
３１…突出部
５０…包装箱（紙製品）
５１Ａ，５１Ｂ…側壁（第１壁面）
５２…底壁
５３…天壁
５６Ａ〜５６Ｄ…面取壁（第２壁面）
５７…第２折曲線
【図１】
2011001104.tif 000003
【図２】
2011001104.tif 000004
【図４】
2011001104.tif 000005
【図６】
2011001104.tif 000006
【図８】
2011001104.tif 000007
【図９】
2011001104.tif 000008
【図１０】
2011001104.tif 000009
【図１１】
2011001104.tif 000010
【図３】
2011001104.tif 000011
【図５】
2011001104.tif 000012
【図７】
2011001104.tif 000013